(57)【要約】【課題】撮影した画像に対して意図した加工を施す。【解決手段】画像取得部１１０が被写体を撮影して撮影画像を取得し、取得した撮影画像から、顔検出部１２０が、人物の顔を検出し、撮影画像を表示部１３０が表示する際、撮影画像のうち顔検出部１２０が検出した顔を識別可能に表示し、識別可能に表示した顔のうち、所定の顔であるフォーカス顔以外の顔に対して加工部１４０がぼかし処理を行い、ぼかし処理を行った撮影画像を記録部１５０が記録する。【選択図】図１
2011182028.tif 000002
【特許請求の範囲】
【請求項１】
動画撮影を行う撮影装置であって、
被写体を撮影して撮影画像を取得する画像取得部と、
前記画像取得部が取得した撮影画像から、人物の顔を検出する顔検出部と、
前記撮影画像を表示し、該撮影画像のうち前記顔検出部が検出した顔を識別可能に表示する表示部と、
前記表示部が識別可能に表示した顔のうち、所定の顔であるフォーカス顔以外の顔に対してぼかし処理を行う加工部と、
前記加工部がぼかし処理を行った撮影画像を記録する記録部とを有する撮影装置。
【請求項２】
請求項１に記載の撮影装置において、
前記表示部は、前記撮影画像のうち前記顔検出部が検出した顔を所定の枠で囲んで表示することを特徴とする撮影装置。
【請求項３】
請求項１に記載の撮影装置において、
当該撮影装置を操作する操作者による前記フォーカス顔の選択を受け付ける選択部を有し、
前記加工部は、前記選択部が受け付けたフォーカス顔以外の顔に対してぼかし処理を行うことを特徴とする撮影装置。
【請求項４】
請求項１に記載の撮影装置において、
前記顔検出部が検出した顔があらかじめ登録されたフォーカス顔かどうかを判断するための顔認証処理を行う顔認証部を有し、
前記加工部は、前記顔検出部が検出した顔のうち、前記顔認証部が判断したフォーカス顔以外の顔に対してぼかし処理を行うことを特徴とする撮影装置。
【請求項５】
請求項１に記載の撮影装置において、
前記表示部は、前記加工部が前記ぼかし処理を行った後、前記画像取得部が取得した撮影画像の代わりに前記加工部がぼかし処理を行った撮影画像を表示することを特徴とする撮影装置。
【請求項６】
請求項１に記載の撮影装置において、
前記加工部は、前記ぼかし処理の代わりにモザイク処理を行うことを特徴とする撮影装置。
【請求項７】
請求項１に記載の撮影装置において、
前記加工部は、前記ぼかし処理の代わりに所定の色で塗りつぶす塗りつぶし処理を行うことを特徴とする撮影装置。
【請求項８】
動画撮影を行う撮影方法であって、
被写体を撮影して撮影画像を取得するステップと、
前記取得した撮影画像から、人物の顔を検出するステップと、
前記撮影画像を表示する際、該撮影画像のうち前記検出した顔を識別可能に表示するステップと、
前記識別可能に表示した顔のうち、所定の顔であるフォーカス顔以外の顔に対してぼかし処理を行うステップと、
前記ぼかし処理を行った撮影画像を記録するステップとを行う撮影方法。
【請求項９】
動画撮影を行う撮影装置に、
被写体を撮影して撮影画像を取得する手順と、
前記取得した撮影画像から、人物の顔を検出する手順と、
前記撮影画像を表示する際、該撮影画像のうち前記検出した顔を識別可能に表示する手順と、
前記識別可能に表示した顔のうち、所定の顔であるフォーカス顔以外の顔に対してぼかし処理を行う手順と、
前記ぼかし処理を行った撮影画像を記録する手順とを実行させるためのプログラム。
【発明の詳細な説明】
【技術分野】
【０００１】
本発明は、動画撮影を行う撮影装置、撮影方法およびプログラムに関する。
【背景技術】
【０００２】
近年、動画共有サイトの普及により、多様な動画がインターネット上で公開されるようになってきている。しかし、撮影した動画をインターネットに公開する際、動画に被写体（例えば子供やペット）以外の第三者が映り込んでしまった場合、当該第三者から公開の許諾を取ることは実質的に不可能である。
【０００３】
また、それ以外にも、子供の動画を公開したいが、その子供と一緒に映っている親の顔は公開したくないといった場合も考えられる。
【０００４】
そこで、近年用いられている画像処理技術を用いれば、撮影した動画ファイルを撮影後に加工することが可能である。この処理を用いることにより、公開したくない部分に対してぼかし処理等の加工を施すことはできる。
【０００５】
しかし、デジタルカメラや携帯端末等で撮影した動画ファイルは一般的に１５〜６０ｆｐｓである上、動画ではフレーム毎に被写体の位置が変わることから、全てのフレームで撮影対象として意図しない顔に対して加工を施すことは困難である。
【０００６】
また、同様の理由から、動画撮影時に撮影者がぼかし加工を施したい箇所を手動で指定することも困難である。
【０００７】
そこで、被写体画像の顔のサイズに応じて、当該顔が画像変換処理を行う対象であるかどうかを判断し、画像変換処理を行う対象であると判断された場合、当該顔に対して画像変換処理を行う技術が考えられている（例えば、特許文献１参照。）。
【先行技術文献】
【特許文献】
【０００８】
【特許文献１】特開２００８−２３６１４１号公報
【発明の概要】
【発明が解決しようとする課題】
【０００９】
しかしながら、動画撮影中の被写体の動きによってそのサイズが変化するため、特許文献１に記載された技術を用いた場合、加工対象の人物を正しく認識することができないおそれがある。それにより、加工したい部分が加工されず、一方、加工したくない部分が加工されてしまうというおそれがある。つまり、撮影した画像に対して意図した加工を施すことができないという問題点がある。
【００１０】
本発明の目的は、上述した課題を解決する撮影装置、撮影方法およびプログラムを提供することである。
【課題を解決するための手段】
【００１１】
本発明の撮影装置は、
動画撮影を行う撮影装置であって、
被写体を撮影して撮影画像を取得する画像取得部と、
前記画像取得部が取得した撮影画像から、人物の顔を検出する顔検出部と、
前記撮影画像を表示し、該撮影画像のうち前記顔検出部が検出した顔を識別可能に表示する表示部と、
前記表示部が識別可能に表示した顔のうち、所定の顔であるフォーカス顔以外の顔に対してぼかし処理を行う加工部と、
前記加工部がぼかし処理を行った撮影画像を記録する記録部とを有する。
【００１２】
また、本発明の撮影方法は、
動画撮影を行う撮影方法であって、
被写体を撮影して撮影画像を取得するステップと、
前記取得した撮影画像から、人物の顔を検出するステップと、
前記撮影画像を表示する際、該撮影画像のうち前記検出した顔を識別可能に表示するステップと、
前記識別可能に表示した顔のうち、所定の顔であるフォーカス顔以外の顔に対してぼかし処理を行うステップと、
前記ぼかし処理を行った撮影画像を記録するステップとを行う。
【００１３】
また、本発明のプログラムは、
動画撮影を行う撮影装置に実行させるためのプログラムであって、
被写体を撮影して撮影画像を取得する手順と、
前記取得した撮影画像から、人物の顔を検出する手順と、
前記撮影画像を表示する際、該撮影画像のうち前記検出した顔を識別可能に表示する手順と、
前記識別可能に表示した顔のうち、所定の顔であるフォーカス顔以外の顔に対してぼかし処理を行う手順と、
前記ぼかし処理を行った撮影画像を記録する手順とを実行させる。
【発明の効果】
【００１４】
以上説明したように、本発明においては、撮影した画像に対して意図した加工を施すことができる。
【図面の簡単な説明】
【００１５】
【図１】本発明の撮影装置の第１の実施の形態を示す図である。
【図２】図１に示した撮影装置における撮影方法を説明するためのフローチャートである。
【図３】ステップＳ３で表示部に表示された撮影画像の一例を示す図である。
【図４】ステップＳ４で撮影装置を操作する操作者によってフォーカス顔が選択された際の表示部の表示画面の一例を示す図である。
【図５】加工部によって加工処理が行われて表示部に表示された撮影画像の一例を示す図である。
【図６】本発明の撮影装置の第２の実施の形態を示す図である。
【図７】図６に示した顔認証部の内部構成の一例を示す図である。
【図８】図６に示した撮影装置における撮影方法を説明するためのフローチャートである。
【発明を実施するための形態】
【００１６】
以下に、本発明の実施の形態について図面を参照して説明する。
（第１の実施の形態）
図１は、本発明の撮影装置の第１の実施の形態を示す図である。
【００１７】
本形態における撮影装置１００には図１に示すように、画像取得部１１０と、顔検出部１２０と、表示部１３０と、加工部１４０と、記録部１５０と、選択部１６０とが設けられている。
【００１８】
画像取得部１１０は、動画撮影を行う際、被写体を撮影して撮影画像を取得する。
【００１９】
顔検出部１２０は、画像取得部１１０が取得した撮影画像から、人物の顔を検出する。この人物の顔を検出する方法は、一般的に市販されているデジタルカメラ等に搭載されている顔検出機能を用いるものであれば良い。
【００２０】
表示部１３０は、画像取得部１１０が取得した撮影画像を表示する。また、表示部１３０は、画像取得部１１０が取得した撮影画像のうち、顔検出部１２０が検出した顔を識別可能に表示する。ここで識別可能な表示とは、例えば、顔検出部１２０が検出した顔を所定の枠で囲んで表示することや、所定の色を付して表示すること等、他の被写体から識別可能な表示であれば良い。また、表示部１３０は、加工部１４０が撮影画像を加工した後、加工した撮影画像を表示するものであっても良い。
【００２１】
加工部１４０は、表示部１３０が識別可能に表示した顔のうち、所定の顔であるフォーカス顔以外の顔に対してぼかし処理を行う。このぼかし処理とは、一般的に用いられている画像処理の１つであり、鮮明に表示させたくない部分等をぼかして表示させるための処理である。また、加工部１４０は、表示部１３０が識別可能に表示した顔のうち、所定の顔であるフォーカス顔以外の顔に対してモザイク処理を行うものであっても良い。このモザイク処理とは、一般的に用いられている画像処理の１つであり、鮮明に表示させたくない部分等を画素単位で所定の変換を施して当該画像を識別できないように表示させるための処理である。また、加工部１４０は、表示部１３０が識別可能に表示した顔のうち、所定の顔であるフォーカス顔以外の顔を所定の色で塗りつぶす塗りつぶし処理を行うものであっても良い。つまり、加工部１４０は、表示部１３０が識別可能に表示した顔のうち、所定の顔であるフォーカス顔以外の顔を識別できないように表示させるために加工する。また、加工部１４０は、選択部１６０が受け付けた顔をフォーカス顔として決定する。なお、加工部１４０におけるフォーカス顔の決定は、新たなフォーカス顔の決定がない限り、撮影中維持される。
【００２２】
記録部１５０は、加工部１４０がぼかし処理、モザイク処理または塗りつぶし処理等の加工を行った撮影画像を記録する。
【００２３】
選択部１６０は、撮影装置１００を操作する操作者によって、表示部１３０が認識可能に表示した顔のうち、どの顔をフォーカス顔として選択するかを受け付ける。この選択には、撮影装置１００に一般的に具備されたボタンやタッチパネル等の入力手段（不図示）が用いられる。
【００２４】
以下に、図１に示した撮影装置１００における撮影方法について説明する。
【００２５】
図２は、図１に示した撮影装置１００における撮影方法を説明するためのフローチャートである。
【００２６】
まず、撮影装置１００を用いて被写体の撮影が開始されると、画像取得部１１０によって撮影画像が取得される（ステップＳ１）。ここで、撮影開始とは、撮影装置１００の電源を入れる（表示部１３０に被写体が表示される）ことを言う。一般的には、スタンバイ等の表現が用いられている、録画待機状態にすることである。
【００２７】
すると、画像取得部１１０によって取得された撮影画像から人物の顔が顔検出部１２０によって検出される（ステップＳ２）。
【００２８】
また、画像取得部１１０によって取得された撮影画像が表示部１３０に表示される（ステップＳ３）。このとき、顔検出部１２０によって検出された顔が識別可能に表示される。例えば、上述したように、顔検出部１２０によって検出された顔が、あらかじめ設定された枠で囲まれて表示される。
【００２９】
図３は、ステップＳ３で表示部１３０に表示された撮影画像の一例を示す図である。
【００３０】
図３に示すように、表示部１３０に撮影画像が表示される際、顔検出部１２０によって検出された顔２００を囲んだ顔検出枠２１０が表示される。ここでは、顔検出枠２１０として、破線で構成された正方形を用いる場合を例に挙げて示す。
【００３１】
その後、撮影装置１００を操作する操作者によって表示部１３０が顔検出枠２１０で囲んで表示した顔のうちどの顔をフォーカス顔として選択するかが、選択部１６０にて受け付けられると（ステップＳ４のＹｅｓ）、加工部１４０によってフォーカス顔以外の顔についてぼかし処理等の画像変換の加工処理が行われる（ステップＳ５）。
【００３２】
図４は、ステップＳ４で撮影装置１００を操作する操作者によってフォーカス顔が選択された際の表示部１３０の表示画面の一例を示す図である。
【００３３】
図４に示すように、選択されたフォーカス顔が所定の枠であるフォーカス枠２２０で囲まれて表示される。ここでは、フォーカス枠２２０として、太線で構成された正方形を用いる場合を例に挙げて示す。
【００３４】
その後、撮影装置１００を操作する操作者によって録画開始が指示（入力）されると、加工部１４０によって加工処理が行われた撮影画像が、記録部１５０に記録される（ステップＳ６）。この録画開始の指示（入力）は、撮影装置１００に具備されている録画開始ボタン等の入力手段の操作者による一般的に用いられている操作である。
【００３５】
また、加工部１４０によって加工処理が行われた撮影画像が表示部１３０に表示されるものであっても良い。
【００３６】
図５は、加工部１４０によって加工処理が行われて表示部１３０に表示された撮影画像の一例を示す図である。
【００３７】
図５に示すように、フォーカス枠２２０以外の顔検出枠２１０に囲まれた顔が、加工部１４０によるぼかし処理２３０によって加工された状態で表示部１３０に表示される。
【００３８】
なお、録画開始後であっても、撮影装置１００を操作する操作者によって表示部１３０が顔検出枠２１０で囲んで表示した顔のうちどの顔をフォーカス顔として選択するかが、選択部１６０にて受け付けられた場合、当該フォーカス顔に対して上述した加工処理が行われ、加工処理された撮影画像が記録部１５０に記録されるものであっても良い。
（第２の実施の形態）
図６は、本発明の撮影装置の第２の実施の形態を示す図である。
【００３９】
本形態における撮影装置１０１には図６に示すように、画像取得部１１０と、顔検出部１２０と、表示部１３０と、加工部１４０と、記録部１５０と、顔認証部１７０とが設けられている。つまり、図１に示した撮影装置１００に設けられている選択部１６０に代わり、図６に示した撮影装置１０１には顔認証部１７０が設けられている。
【００４０】
顔認証部１７０は、顔検出部１２０が検出した人物の顔が、あらかじめ登録されている顔であるかどうかを判断する。この判断は、一般的に用いられている「顔認証処理」を用いる。また、顔認証部１７０は、顔認証処理の結果、つまり、顔検出部１２０が検出した人物の顔のうち、どの顔があらかじめ登録されている顔であるかを示す情報を加工部１４０へ出力する。
【００４１】
図７は、図６に示した顔認証部１７０の内部構成の一例を示す図である。
【００４２】
図６に示した顔認証部１７０には図７に示すように、認証処理部１７１と、認証データ記憶部１７２とが設けられている。
【００４３】
認証データ記憶部１７２は、あらかじめ登録された顔を示す情報が記憶されている。
【００４４】
認証処理部１７１は、顔検出部１２０が検出した人物の顔と、認証データ記憶部１７２に記憶されている顔とを比較して、当該顔の認証を行う。
【００４５】
加工部１４０は、顔検出部１２０が検出した人物の顔のうち、顔認証部１７０によってあらかじめ登録されていると判断された顔をフォーカス顔として決定し、フォーカス顔以外の顔に対してぼかし処理を行う。
【００４６】
以下に、図６に示した撮影装置１０１における撮影方法について説明する。
【００４７】
図８は、図６に示した撮影装置１０１における撮影方法を説明するためのフローチャートである。
【００４８】
まず、撮影装置１０１を用いて被写体の撮影が開始されると、画像取得部１１０によって撮影画像が取得される（ステップＳ１１）。ここで、撮影開始とは、第１の実施の形態における処理で説明したものと同様に、撮影装置１０１の電源を入れる（表示部１３０に被写体が表示される）ことを言う。一般的には、スタンバイ等の表現が用いられている、録画待機状態にすることである。
【００４９】
すると、画像取得部１１０によって取得された撮影画像から人物の顔が顔検出部１２０によって検出される（ステップＳ１２）。
【００５０】
続いて、顔認証部１７０によって、顔検出部１２０が検出した顔の認証が行われる（ステップＳ１３）。具体的には、顔検出部１２０が検出した顔と、あらかじめ登録されている顔とが比較され、一致したもの顔がフォーカス顔とされる。
【００５１】
そして、認証結果が顔認証部１７０から加工部１４０へ出力されると、加工部１４０によってフォーカス顔以外の顔についてぼかし処理等の画像変換の加工処理が行われる（ステップＳ１４）。
【００５２】
その後、撮影装置１００を操作する操作者によって録画開始が指示（入力）されると、加工部１４０によって加工処理が行われた撮影画像が、記録部１５０に記録される（ステップＳ１５）。この録画開始の指示（入力）は、上述した第１の実施の形態における処理で説明したものと同様に、撮影装置１００に具備されている録画開始ボタン等の入力手段の操作者による一般的に用いられている操作である。
【００５３】
また、加工部１４０によって加工処理が行われた撮影画像が表示部１３０に表示されるものであっても良い。
【００５４】
以上説明したように本発明においては、撮影対象として意図しない人物の肖像権を侵害せず、動画を公開することができる。また、動画の中で特定の人物のみの顔を公開することができる。
【００５５】
上述した撮影装置１００，１０１に設けられた各構成要素が行う処理は、目的に応じてそれぞれ作製された論理回路で行うようにしても良い。また、処理内容を記述したプログラムを撮影装置１００，１０１にて読取可能な記録媒体に記録し、この記録媒体に記録されたプログラムを撮影装置１００，１０１に読み込ませ、実行するものであっても良い。撮影装置１００，１０１にて読取可能な記録媒体とは、フロッピー（登録商標）ディスク、光磁気ディスク、ＤＶＤ、ＣＤなどの移設可能な記録媒体の他、撮影装置１００，１０１に内蔵されたＲＯＭ、ＲＡＭ等のメモリやＨＤＤ等を指す。この記録媒体に記録されたプログラムは、撮影装置１００，１０１に設けられたＣＰＵ（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【符号の説明】
【００５６】
１００，１０１    撮影装置
１１０    画像取得部
１２０    顔検出部
１３０    表示部
１４０    加工部
１５０    記録部
１６０    選択部
１７０    顔認証部
１７１    認証処理部
１７２    認証データ記憶部
２００    顔
２１０    顔検出枠
２２０    フォーカス枠
２３０    ぼかし処理
【図１】
2011182028.tif 000003
【図２】
2011182028.tif 000004
【図３】
2011182028.tif 000005
【図４】
2011182028.tif 000006
【図５】
2011182028.tif 000007
【図６】
2011182028.tif 000008
【図７】
2011182028.tif 000009
【図８】
2011182028.tif 000010